(57)【要約】【課題】  本考案は災害発生時に来訪外国人や障がい者を含む近くの人々に災害状況を伝達し、緊急に避難させるための取扱い容易な看板を新規に提供することを課題としている。【解決手段】  本考案は災害の発生時に来訪外国人や障がい者を含む近くの周囲の人々に災害情報を伝達し、さらに緊急に避難させるため、必要な文言をやさしい日本語と英語などの外国語とにて併記してなる掲げ可能な大きさの看板を形成し、該看板の上部に片手で持つことのできる手持ち掲げ用の握り穴を設けるという簡単な構造の看板を提供して前記の課題を解決する。【選択図】図２
0003219806.tif 000002
【実用新案登録請求の範囲】
【請求項１】
災害の発生により近くの人々を緊急に避難させるため、必要な文言を書した掲げ可能な大きさの看板と該看板に手持ち掲げ用の握り穴を１乃至数個にて設けたことを特徴とする避難誘導用の手持ち掲げ看板
【請求項２】
手持ち掲げ用の穴は看板の上部に設けた請求項１に記載の避難誘導用の手持ち掲げ看板。
【請求項３】
文言は日本語と英語などの外国語を併記した請求項１または２に記載の避難誘導用の手持ち掲げ看板。
【考案の詳細な説明】
【技術分野】
【０００１】
この考案は避難誘導用の手持ち掲げ看板に関するものである。
【背景技術】
【０００２】
従来、看板としては出願人が提案している登録実用新案第３２０２０３４号、同第３２０３９４２号公報のほか特開２００５−３０８９８４号公報がある。
【先行技術文献】
【特許文献】
【０００３】
【特許文献１】登録実用新案第３２０２０３４号公報
【特許文献２】登録実用新案第３２０３９４２号公報
【特許文献３】特開２００５−３０８９８４号公報
【考案の概要】
【考案が解決しようとする課題】
【０００４】
上記した実用新案の公報は置き看板、立て看板であって、火災等の発生に伴う近隣の人々を緊急に避難させる呼び掛けに対応していないという課題があった。
また、公開特許公報は、支持具（手持ち棒）付の手持ち式看板において、支持具と表示部（看板）部を着脱自在にして設けたことを記載しているが、着脱機構が複雑で高価となるほか着脱時の取扱いに慣れを要すという課題がある。支持具の手持ち棒上に大きな表示部を取り付けるため看板が揺れたり斜めになったりして視認性に欠けることがあるという課題がある。また支持具を持って安定して掲げるには両手を使って支えることが必要となるために看板を掲げる以外の行動、例えば身振り手振りでの誘導、誘導灯・拡声器の操作などを同時に行うことができないという課題がある。
【課題を解決するための手段】
【０００５】
本考案は、緊急避難誘導用の掲げ可能な大きさの看板に手持ち掲げ用の握り穴を設けて、この握り穴を握り持って災害情報の伝達や避難誘導に必要な文言を書した看板を高く掲げて周囲の人々に見やすく知らせて避難誘導を促すようにして、上記した課題を解決するようにしたのである。
【考案の効果】
【０００６】
本考案は、握り穴を握り持って誰でも容易に取り扱うことができるので災害時の情況伝達，避難誘導に即座に役立てることができるという効果を生ずる。
【０００７】
握り穴を上部に設けて、握り穴を握り持って片手持ちで吊り掲げるようにしたので看板面が安定して看板の文言が見やすいものとなり、また安定した掲げ姿勢によって負担が小さく長い時間掲げ続けることができるという効果を生ずる。
【０００８】
看板を片手で掲げることができるので空いた手を使って身振り手振りの誘導ができるほか、誘導灯・拡声器を使用して相乗効果のある避難誘導を行うことができるという効果を生ずる。
【０００９】
看板の上部に握り穴を設けただけなので構造が簡単で安価にて製造することができるとともに扁平形によって持ち運びが容易で、小さな保管場所に複数枚を収納保管することができるという効果を生ずる。
【００１０】
看板の文言は日本語と英語等の外国語を併記したので、外国人来訪者などにも正しい情報を伝達して避難誘導を迅速に行うことができるという効果を生ずる。また、聴覚障がい者への情報伝達にも迅速に対応することができ、やさしい日本語（外国語）で表示することにより子供や知的障がいの人たちにも情報を伝達しやすくすることができるという効果を生ずる。
【図面の簡単な説明】
【００１１】
【図１】本考案の第１実施例を示す正面図、
【図２】看板を手持ち掲げした状態を示す斜視図
【図３】（ａ）は第１実施例の看板に避難を促す図形を併記した例を示す正面図、（ｂ）はエレベーターが使用できないことを知らせる看板例を示す正面図
【図４】看板の保管例を示し、（ａ）は看板保管箱に収納した状態、（ｂ）はフックに掛吊り保管した状態を示す斜視図
【考案を実施するための形態】
【００１２】
本考案は、災害の発生により近くの人々を緊急に避難させるため、必要な文言を書した掲げ可能な大きさの看板と該看板の上部に手持ち掲げ用の握り穴を設け、また必要な文言はやさしい日本語と英語などの外国語を併記して形成する。災害の内容に応じた複数種の文言の看板を形成して災害に応じて選択使用することができるようにする。
【実施例１】
【００１３】
図１乃至図３は本考案の１実施例であって、発泡プラスチックなどの軽量で剛性を有す素材にて人が掲げることができる大きさで扁平な矩形板状の看板１を形成し、看板１の上部中央に横長形の握り穴２を設ける。看板１は縦長４０〜５０ｃｍ、横長５０〜７０ｃｍ程度の大きさで重さは４００ｇ前後である。
【００１４】
発泡プラスチック素材の看板１は成型が容易で文言等を直接印刷することができるので比較的安価にて製造し得るとともに防水性にすぐれ、さらに劣化しにくいためにシワがよったりひび割れたりすることなく長期間に亘って使用することができるものとなる。
【００１５】
近年、消防庁の策定した「外国人来訪者や障害者等が利用する施設における災害情報の伝達および避難誘導に関するガイドライン」では、多数の外国人来訪者等の利用が想定される駅、空港、旅館・ホテル、イベント会場等の施設で火災・地震等の災害が発生した際の人命安全の確保や二次災害の予防のためにする防災センター等から一斉に行う災害情報の伝達および避難誘導を補完するため、災害情報および避難誘導に関する情報を多言語化し、また視覚化して伝達するための看板を活用し、係員等が直接、災害情報の伝達および避難誘導を行うようにする方策を提案している。
【００１６】
これらの看板の作成に際しては、災害の情報、避難を促すための情報、避難経路および避難方向の情報、その他避難するために必要な情報をやさしい言葉による説明（日本語・外国語）と視認性にすぐれた書体、ＪＩＳ安全色を利用して視認性を確保した配色を選択した仕様とすることを提起している。
【００１７】
また、これらの看板は火災発生施設の避難誘導で活用することを踏まえ、軽量で持ち運びに支障がなく、片手で持つことができ（空いた手で誘導灯または拡声器などを扱える）、使用の際にシワ・ヨレがなく、ある程度の防水性のあるものとすることを要望している。
【００１８】
本考案の看板１はこれらの方策に沿って考案されたもので、発泡プラスチック素材の看板１は軽量・薄厚で持ち運びが容易であるので図２に示すように握り穴２を握って片手で軽く持ち掲げることができ、防水性にすぐれて且つ剛性を有す看板面に必要な文言３を印刷したことによりシワ・ヨレが生ずることなく長期間に亘って使用することができるものとなる。
看板面１ａの背景３はＪＩＳ  Ｚ９１０３に規定された赤色とし、文言４は赤色の背景色に対して視認性に優れる白色を採用して視認性を高めている。  
【００１９】
図１の看板１は、火災発生時の災害情報の伝達および避難誘導に必要とする文言４の１例を示していて、上段にやさしい日本語で「火事です  逃げてください」の文言４ａを書し、下段に上記日本語に相当するやさしい英語にて「Ｔｈｅｒｅ  ｉｓ  ａ  ｆｉｒｅ．Ｐｌｅａｓｅ  ｅｖａｃｕａｔｅ！」の文言４ｂを書してなる。看板面は両面印刷としてどちら側からも見えるようにしている。
【００２０】
なお、あらかじめ特定外国語圏（中国語、韓国語、その他）からの人の多いことが予想される施設においては、その特定外国語と日本語を併記したものとすることもある。また図３（ａ）に示すように避難を促す図形（ピクトグラム）４ｃを併記することもある。さらに避難する方向を示す矢印などの図形を併記することもある。なお、図３（ｂ）はエレベーターが使用できない情況を伝達するための表記例を示す看板の１例である。
【００２１】
看板１は普段は図４（ａ）に示すように、災害の種類に応じて必要な文言４を書した数枚からなるセットを看板保管箱５内に納めて迅速に取り出すことができる場所に保管し、または図４（ｂ）に示すように握り穴２の上に設けた吊り下げ穴６を以って壁７等に構えたフック８に吊り下げて保管するのである。なお、同種の文言４を書した複数枚をセットとして複数の係員が同時に取り出して使用することができるようにすることもある。
【００２２】
取り出した看板１は図２に示すように上部の握り穴２を握って高く吊り掲げて近くの人々，対面する人々への災害情報の伝達と避難誘導用に使用する。本考案の看板１は片手で掲げることができるので、空いた手による身振り手振りの誘導を同時に行なったり、誘導灯・拡声器（図示してない）を操作して避難誘導をより効果的に行うことができることとなる。
【産業上の利用可能性】
【００２３】
本考案は、必要な文言を書した掲げ可能な大きさの看板と該看板の上部に手持ち掲げ用の握り穴を設け、また文言は日本語と英語などの外国語を併記したことで、災害発生時の情報伝達・避難誘導用の手持ち看板として広く利用されるものである。
【符号の説明】
【００２４】
１は看板
２は握り穴
３は背景
４は文言
４ａは日本語
４ｂは英語等の外国語の文言
４ｃは図形
５は看板保管箱
６は吊り下げ穴
７は壁面
８はフック
【図１】
0003219806.tif 000003
【図２】
0003219806.tif 000004
【図３】
0003219806.tif 000005
【図４】
0003219806.tif 000006